(57)【要約】【課題】側辺に係止溝６１が形成される外壁板６０を留め付けるときに、留め付け時の位置決めが容易であり、外壁板６０に安定した押圧力を付与することができる外壁板用の留め付け金具１０を得る。【解決手段】留め付け金具１０は、直交する第１係止部２１と第２係止部２５を備える。各係止部は、留め付ける外壁板６０の直交する２辺に形成した係止溝６１に係止する第１係止片２３，２７と、側方および上方に隣接する外壁板の対向する側辺に形成した係止溝６１に係止する第２係止片２４，２８をそれぞれ備える。外壁板６０の上角部に留め付け金具１０の第１係止部２１と第２係止部２５をあてがった状態で、留め付け金具１０を斜め下方に押圧し、ビス６７で留め付け金具１０を建物側下地材に固定する。【選択図】図４
2006249830.tif 000002
【特許請求の範囲】
【請求項１】
側辺に係止溝が形成される外壁板を建物側に留め付けるための留め付け金具であって、
第１の外壁板の１つの側辺に形成された係止溝に係止する第１係止片と当該外壁板に隣接して留め付けられる第２の外壁板の側辺に形成された係止溝に係止する第２係止片とを備える第１係止部と、
第１の外壁板の前記側辺に直交する側辺に形成された係止溝に係止する第１係止片と当該外壁板に隣接して留め付けられる第３の外壁板の側辺に形成された係止溝に係止する第２係止片とを備えた第２係止部とが、
一つの基板の略同一平面内に互いに直交するようにして形成されていることを特徴とする留め付け金具。
【請求項２】
第１係止部と第２係止部とは一方の係止部の延長線が他方の係止部と交差しない状態で間隔をおいて形成されていることを特徴とする請求項１に記載の留め付け金具。
【請求項３】
基板は鋼板であり、第１係止部と第２係止部は基板からの切り起こし加工と折り曲げ加工により形成されていることを特徴とする請求項１に記載の留め付け金具。
【請求項４】
基板は平坦な浮き上がり面を有しており、第１係止部と第２係止部は該浮き上がり面をベースとして形成されていることを特徴とする請求項１に記載の留め付け金具。
【請求項５】
側辺に係止溝が形成される外壁板を請求項１から４のいずれかに記載の留め付け金具を用いて建物側に留め付けた外壁施工構造であって、第１と第２双方の係止部の第１係止片が第１の外壁板の角部近傍の直交する係止溝にそれぞれ係止しており、第１と第２双方の係止部の第２係止片が横方向およびまたは上方向に隣接する第２およびまたは第３の外壁板の対向する側辺に形成された係止溝のいずれかにそれぞれ係止している留め付け構造を少なくとも一部に備えることを特徴とする外壁施工構造。
【請求項６】
請求項５に記載の外壁施工構造であって、外壁は一部に開口部を備えており、少なくとも開口部周辺に位置する外壁板には裏面側に凹陥部が形成されている外壁板が用いられており、留め付け金具のいずれか一方の係止部を該外壁板の裏面に形成した凹陥部内に埋入した状態で、当該留め付け金具の他方の係止部の第１係止片が当該外壁板の側辺に形成した係止溝に係止しており、当該係止部の第２係止片が横方向または上方向に隣接する外壁板の対向する側辺に形成された係止溝に係止している留め付け構造を一部に備えることを特徴とする請求項５に記載の外壁施工構造。
【請求項７】
外壁板として、横寸法の異なる２種以上の外壁板が混在して留め付けられていることを特徴とする請求項５または６に記載の外壁施工構造。
【請求項８】
側辺に係止溝が形成される外壁板を請求項１から４のいずれかに記載の留め付け金具を用いて建物側に留め付けていく外壁施工方法であって、既に留め付けられた外壁板の上角部近傍の直交する２本の係止溝に留め付け金具の第１と第２双方の係止部の第１係止片を係止させた状態として、当該留め付け金具を建物側に固定する工程、当該外壁板の側方に第２の外壁板を前記固定した留め付け金具の一方の第２係止片をその側辺に形成した係止溝に係止させた姿勢で留め付ける工程、および当該外壁板の上方に第３の外壁板を前記固定した留め付け金具の他方の第２の係止片をその下辺に形成した係止溝に係止させた姿勢で留め付ける工程、の３工程を繰り返して建物側の横方向および上方向に外壁板を留め付けていくことを特徴とする外壁施工方法。
【請求項９】
外壁板として横寸法の異なる２種以上の外壁板が用いられ、それらが混在して留め付けられていることを特徴とする請求項８に記載の外壁施工方法。
【請求項１０】
始点となる外壁板が建物の出隅部に取り付けた外壁板であることを特徴とする請求項８または９に記載の外壁施工方法。
【発明の詳細な説明】
【技術分野】
【０００１】
本発明は、建物の外壁面に外壁板を留め付けるための留め付け金具と、その留め付け金具を用いた外壁施工構造および外壁施工方法に関する。
【背景技術】
【０００２】
従来から、天然石板や窯業板などである長尺矩形状の外壁板を、建物の外壁面に留め付け金具を用いて留め付けることが行われている。近年、そのような外壁板に高い装飾性や外観意匠性が求められるようになっており、重厚感を出すために、厚みのある外壁板が装飾板材として用いられることが多くなっている。例えば、特許文献１には、図１４ａに正面図を，図１４ｂに背面図を、図１５に断面図を示すように、比較的小型で厚みが厚く（例えば、３５ｍｍ×２２０ｍｍ×４５５ｍｍ程度のもの）、かつ、天然石の石積み感を表出させるような造形性の高い外壁板６０が記載されている。外壁板６０は、側辺に留め付け金具の係止片が係止する係止溝６１を有するとともに、裏面側には、重量を低減するために凹陥部６２が形成されている。
【０００３】
建物側への外壁施工に当たっては、特許文献１に記載のように、外壁板６０の裏面に形成した凹陥部６２を利用して図示しない吊り下げ治具を用いて下地材に吊り下げ施工することもでき、図１６に示すような留め付け金具７０を用いて留め付け施工することもできる。留め付け金具７０を用いる場合には、図１７に外壁面施工構造を、図１８に留め付け部の斜視図を、図１９に留め付け部の側方断面図を、示すように、通常の場合、縦胴縁６５に釘固定された下地材６６に対して留め付け金具７０をビス６７で固定することにより行われる。すなわち、下側外壁板６０Ａの上辺部の略中央部の係止溝６１に、留め付け金具７０の中央部の２つの下板係止片７１，７１を係止し、該下板係止片７１，７１で下側外壁板６０Ａを少し押圧した状態として、留め付け金具７０をビス６７で下地材６６にビス固定する。次ぎに、固定された留め付け金具７０の両側の２つの上板係止片７２、７２に、上側に隣接配置する左右の外壁板６０Ｂ、６０Ｂの下端両端部の係止溝６１をそれぞれ係止させた状態として、突き付け施工する。このことを繰り返すことにより、多数枚の外壁板６０が建物側の壁面に横方向と上方向に留め付けられ、図１７に示すように、外壁板６０が千鳥状に留め付けられた外壁施工構造となる。
【特許文献１】特開２０００−４５４８５号公報
【発明の開示】
【発明が解決しようとする課題】
【０００４】
上記の外壁施工構造では、留め付け金具７０の下板係止片７１，７１で下側外壁板６０Ａを垂直下方に押圧して留め付けるようにしており、一枚の外壁板を押さえ付ける力が偏らないように、留め付け金具７０を下側外壁板６０Ａの中央部に慎重に位置決めすることが必要となる。また、左右の外壁板の側端面同士は基本的に単なる突き付け接合であり、突き付け面に隙間が生じないよう、施工に十分な注意を払う必要がある。
【０００５】
さらに、より高い外観意匠を作り出すために、横寸法の異なる２種類以上の外壁板を同じ外壁面に留め付けることが望まれるような場合に、下側外壁板の中央に固定した留め付け金具でもって、上側に隣接配置する外壁板の下端部を支持することができなくなることが起こる。そのために、バリエーションに富んだ外観意匠を発揮する外壁面を構築することは容易でない。
【０００６】
また、外壁部が一部に窓のような開口部を備えるものであるときに、開口部周辺に位置する外壁板を安定に留め付けるために、通常他の形態の留め付け金具を必要としており、施工現場で揃えるべき部品数も多くなる。
【０００７】
本発明は、上記のような事情に鑑みてなされたものであり、外壁板に対する留め付け時の位置決めが容易でありながら、当該外壁板に安定した押圧力を付与することができる外壁板用の留め付け金具を提供することを目的とする。また、横寸法の異なる２種類以上の外壁板を使用する場合であっても、同じ外壁面にそれを混在してかつ安定的に留め付けることのできる外壁板用の留め付け金具を提供することを目的とする。本発明のさらに他の目的は、同じ留め付け金具でもって、平坦な外壁面に対する外壁板の留め付け（留め付け一般部）のみならず、開口部周辺に位置する外壁板同士の留め付けも安定して行うことのできる留め付け金具を提供することにある。
【０００８】
また、本発明は、上記の留め付け金具を用いた外壁施工構造と外壁施工方法を提供することも目的とする。
【課題を解決するための手段】
【０００９】
本発明による留め付け金具は、側辺に係止溝が形成される外壁板を建物側に留め付けるための留め付け金具であって、第１の外壁板の１つの側辺に形成された係止溝に係止する第１係止片と当該外壁板に隣接して留め付けられる第２の外壁板の側辺に形成された係止溝に係止する第２係止片とを備える第１係止部と、第１の外壁板の前記側辺に直交する側辺に形成された係止溝に係止する第１係止片と当該外壁板に隣接して留め付けられる第３の外壁板の側辺に形成された係止溝に係止する第２係止片とを備えた第２係止部とが、一つの基板の略同一平面内に互いに直交するようにして形成されていることを特徴とする（請求項１）。
【００１０】
上記の留め付け金具では、外壁板の留め付け時に、第１係止部の第１係止片と第２係止部の第１係止片とを、留め付けようとする外壁板の上角部近傍における直交する２つの係止溝に係止し、斜め下方に押圧した状態で、当該留め付け金具を下地材側に固定するようになるので、留め付けようとする外壁板に対する位置決めは容易であり、かつ外壁板の留め付け態様も安定する。留め付け金具を下地材に固定した後、例えば側方に位置する第２の外壁板はその右または左側辺に形成された係止溝を第２係止部の第２係止片に係止させることにより、また、上方に位置する第３の外壁板はその下側辺に形成された係止溝を第１係止部の第２係止片に係止させることにより、既に留め付けられた外壁板に対して位置決めが行われる。
【００１１】
本発明による留め付け金具において、好ましくは、第１係止部と第２係止部とは、一方の係止部の延長線が他方の係止部と交差しない状態で所定の間隔をおいて形成される（請求項２）。この形態の留め付け金具は、裏面に凹陥部を形成した外壁板とともに好ましくは用いられる。所定の間隔をおいて第１と第２の係止部を配置することにより、いずれか一方の係止部を留め付けようとする外壁板の前記凹陥部内に収容した状態で、他方の係止部の第１係止片を当該外壁板の係止溝に係止することが可能となる。そのために、外壁開口部の周囲に配置される外壁板において往々にして必要となる、対向する側辺同士での連結構造を、前記他方の係止部の第２係止片を隣接する外壁板の対向する側辺に形成した係止溝に係止することにより形成するなど、留め付け一般部とは異なった留め付け構造を、同じ留め付け金具を用いて施工することができる。
【００１２】
本発明による留め付け金具は、所要の強度を備えることを条件に任意の材料を用いて任意の方法で造ることができる。好ましくは、基板は鋼板であり、第１係止部と第２係止部は基板からの切り起こし加工と折り曲げ加工により形成される（請求項３）。これにより、所要の弾性を備えた留め付け金具を、比較的容易にかつ低コストで製造することが可能となる。
【００１３】
本発明による留め付け金具は、基板が平坦面であってもよいが、好ましくは、基板は平坦な浮き上がり面を有し、第１係止部と第２係止部は該浮き上がり面をベースとして形成される（請求項４）。この形態とすることにより、補強用リブが浮き上がり面の周囲に立つこととなり、形状が安定する。浮き上がり面内にさらに補強用リブを形成することもできる。
【００１４】
本発明はさらに、側辺に係止溝が形成される外壁板を上記のいずれかの留め付け金具を用いて建物側に留め付けた外壁施工構造として、第１と第２双方の係止部の第１係止片が第１の外壁板の角部近傍の直交する係止溝にそれぞれ係止しており、第１と第２双方の係止部の第２係止片が横方向およびまたは上方向に隣接する第２およびまたは第３の外壁板の対向する側辺に形成された係止溝のいずれかにそれぞれ係止している留め付け構造を少なくとも一部に備えることを特徴とする外壁施工構造をも開示する（請求項５）。
【００１５】
上記の外壁施工構造では、前記のように基本的に個々の外壁板はその上角部を斜め下方に押し付けるようにして建物側に留め付けられる構造であり、その留め付け構造は、外壁板の横寸法の大小に関係なく、すべてに等しく適用できる。また、上方向に隣接する外壁板の下側辺の留め付けは、既に建物側に固定してある留め付け金具の位置になんの影響も受けない。そのために、同じ横寸法の外壁板のみの場合はもちろん、横寸法の異なる２種以上の外壁板を同じ壁面に留め付ける場合も、実質的に同じ作業を反復するのみで作業を終えることができるので、バリエーションに富んだ外観意匠を発揮する外壁面を容易に構築することができる。
【００１６】
さらに、横方向に位置する外壁板の端面同士は、単なる突き付け接合ではなく、いずれかの係止部の第２係止片が隣接する外壁板の係止溝に係止した状態で連結され、かつ当該外壁板は斜め下方に押圧された状態で留め付けられるので、隣接する外壁板同士の連結状態は、全体としてきわめて安定したものとなる。
【００１７】
なお、本発明による外壁施工構造は、建物の左側出隅部を始点として、右側に順次外壁板を留め付けていく態様でもよく、建物の右側出隅部を始点として、左側に順次外壁板を留め付けていく態様でもよい。また、建物壁面の任意の位置を起点として、左右両方向に順次外壁板を留め付けていく態様でもよい。いずれにおいても、同じ形態の留め付け金具を９０度回転させた姿勢で用いることによって、それを施工することができる。
【００１８】
本発明による外壁施工構造の他の形態は、外壁は一部に開口部を備えており、少なくとも開口部に面することとなる外壁板には裏面側に凹陥部が形成されている外壁板が用いられており、留め付け金具のいずれか一方の係止部を該外壁板の裏面に形成した凹陥部内に埋入した状態で、当該留め付け金具の他方の係止部の第１係止片が当該外壁板の側辺に形成した係止溝に係止しており、当該係止部の第２係止片が上方向または横方向に隣接する外壁板の対向する側辺に形成された係止溝に係止している構造を少なくとも一部に備えることを特徴とする（請求項６）。
【００１９】
上記の外壁施工構造では、一般部の留め付けで用いたのと同じ形状の留め付け金具を用いて、上下方向に隣接する外壁板の対向する側辺に形成される係止溝の連結と、横方向に隣接する外壁板の対向する側辺に形成される係止溝の連結とを行うことができるが、前者と後者では、留め付け時の留め付け金具の姿勢は９０度回転させた姿勢となる。
【００２０】
前記したように、本発明による外壁施工構造では、外壁板として横寸法の異なる２種以上の外壁板を用い、それらが混在した留め付ける構造とすることができる（請求項７）。それにより、高い外観意匠性が得られる。
【００２１】
本発明はさらに、側辺に係止溝が形成される外壁板を上記したいずれかに記載の留め付け金具を用いて建物側に留め付けていく外壁施工方法であって、既に留め付けられた外壁板の上角部近傍の直交する２本の係止溝に留め付け金具の第１と第２双方の係止部の第１係止片を係止させた状態として、当該留め付け金具を建物側に固定する工程、当該外壁板の側方に第２の外壁板を前記固定した留め付け金具の一方の第２係止片をその側辺に形成した係止溝に係止させた姿勢で留め付ける工程、および当該外壁板の上方に第３の外壁板を前記固定した留め付け金具の他方の第２の係止片をその下辺に形成した係止溝に係止させた姿勢で留め付ける工程、の３工程を繰り返して建物側の横方向および上方向に外壁板を留め付けていくことを特徴とする外壁施工方法、をも開示している（請求項８）。
【００２２】
前記したように、外壁板として横寸法の異なる２種以上の外壁板を混在して用いるようにしてもよく（請求項９）、また。始点となる外壁板として建物の出隅部に取り付けた外壁板を用いるようにしてもよい（請求項１０）。
【発明の効果】
【００２３】
上記したように、本発明による留め付け金具を用いることにより、横寸法が同じ外壁板はもちろん、横寸法の異なる外壁板であっても同じ外壁面にそれを混在してかつ安定的に留め付けることが可能となり、変化に富んだ外観意匠を備えた外壁面を容易に構築することができる。また、同じ留め付け金具を用いて外壁面の開口部周辺に位置する外壁板同士の留め付けも安定して行うことができ、作業現場での部品数を少なくすることができる。
【発明を実施するための最良の形態】
【００２４】
以下、添付の図面を参照しながら、本発明を実施の形態に基づき説明する。図１は本発明による留め付け金具の一例を示す斜視図であり、図２はその留め付け金具を用いて外壁板を建物側に留め付けた外壁施工構造の一例を示している。図３は図２のＩＩＩ−ＩＩＩ線による断面図であり、図４はその領域を斜視図として示している。図５は図２のＶ−Ｖ線に沿う側面図であり、図６はその領域を斜視図として示している。図７は図１に示す留め付け金具を時計方向に９０度回転させた状態を示している。図８は図２のＶＩＩＩ−ＶＩＩＩ線による断面図であり、図９はその領域を斜視図として示している。
【００２５】
この例において、留め付け金具１０は、ステンレス鋼の成形品であり、矩形状の基板１１の一部がプレス加工により平坦な浮き上がり面１２とされ、その上方領域には、図１でＸ方向に延びる第１係止部２１が形成され、また、その下方領域には、Ｘ方向に垂直な方向であるＹ方向に延びる第２係止部２５が、第１係止部２１の図で右側端よりもやや右側に形成されている。第１係止部２１と第２係止部２５は、ともに基板１１の前記浮き上がり面１２からの切り起こし加工と折り曲げ加工により形成されている。
【００２６】
第１係止部２１は、基板１１から垂直に立てられた受け板２２と、受け板２２の先端から第２係止部２５側に延びる第１係止片２３と、受け板２２の先端から第１係止片２３とは反対方向の延びる第２係止片２４とで構成される。また、第２係止部２５は、第１係止部２１と同様、基板１１から垂直に立てられた受け板２６と、受け板２６の先端から第１係止部２１側に延びる第１係止片２７と、受け板２６の先端から第１係止片２７とは反対側の延びる第２係止片２８とで構成される。
【００２７】
第１係止部２１の受け板２２の基板１１での位置と、第２係止部２５の受け板２６の上端の位置とは、図１に示すように距離ａだけ離れている。この距離ａは、留め付けようとする外壁板、例えば図１４，図１５に示す外壁板６０における、左右上下の側辺と凹陥部６２との間の壁部の厚さｂよりもわずかに長い距離とされている。また、４つの係止片２３，２４，２７，２８の傾斜角度は、外壁板６０の側辺に形成した係止溝６１の傾斜角度とほぼ同じとされている。
【００２８】
さらに、図示の例において、基板１１における第１係止部２１の第２係止部２５側の側方および上方には、留め付け金具１０を建物側に固定するときに利用されるビス孔１３が設けてあり、また、浮き上がり面１２には補強のためのリブ１４が所要位置に形成されている。さらに、浮き上がり面１２における、第１係止部２１の第２係止片２４側と、第２係止部２５側の第２係止片２８側には、上方に向けて舌片１５が切り起こされており、留め付ける外壁板を前方に向けて、すなわち、第２の係止片２４，２８に向けて押し付けるようになっている。
【００２９】
上記の留め付け金具１０を用いて造られる外壁施工構造を、外壁板として図１４，図１５に示した外壁場６０を用いる場合を例として、以下に説明する。図２は施工後の外壁構造を示しており、ここでは、建物の左側の出隅部Ａ１側を始点として、そこから右方向に多段に順次外壁板６０を留め付ける（右追い）ようにしている。また、壁面には窓としての開口部Ｂが設けられており、その周囲にも外壁板６０が留め付けられる。
【００３０】
説明の都合上、図２に６０ａとして示す外壁板を最初に留め付ける第１の外壁板とし、その右側に隣接する外壁板を第２の外壁板６０ｂ、その上側に隣接する外壁板を第３の外壁板６０ｃとして、留め付け一般部の留め付け構造を説明する。
【００３１】
最初に、留め付け金具１０を図１に示す立てた姿勢とし、その第１係止部２１と第２係止部２５とで区画される領域内に第１の外壁板６０ａの右上角部が入り込むようにして近接させ、第１係止部２１の第１係止片２３を外壁板６０ａの上側辺に形成した係止溝６１に、また、第２係止部２５の第１係止片２７を外壁板６０ａの右側辺に形成した係止溝６１に係止した状態とする。その姿勢で、留め付け金具１０を左下方に向けて押し付ける。それにより、既に留め付けられている外壁板６０ｄの上に仮置きされた第１の外壁板６０ａは建物側にしっかりと位置決めされる。
【００３２】
その状態で、留め付け金具１０のビス孔１３にビス６７を通し、それを下地材６６にネジ込む。それより、留め付け金具１０は下地材６６に固定され、同時に第１の外壁板６０ａは建物側にしっかりと留め付けられる。なお、図では、ビス６７として１本のみを示しているが、安定性を高めるため必要な場合には、２本あるいは３本のビス６７が用いられる。
【００３３】
留め付けた第１の外壁板１０ａの右側に、既に留め付けてある下側の外壁板６０ｄをベースとして第２の外壁板６０ｂを置き、左側に押し付ける。それにより、第２の外壁板６０ｂの左側辺に形成した係止溝６１内に、固定した留め付け金具１０の第２係止部２５の第２係止片２８が入り込んだ状態となる。その状態で、前記した第１の外壁板６０ａの場合と同様にして、第２の外壁板１０ｂの右上角部に留め付け金具１０を同じ姿勢で取り付けて左下方に向けて押し付けた状態とし、当該留め付け金具１０を下地材６６に固定する。それにより、第２の外壁板６０ｂの留め付けは終了する。以下、必要枚数の外壁板６０を右方向に留め付けていく。
【００３４】
図示の例で、第１の外壁板６０ａと第２の外壁板６０ｂは横寸法が異なる。また、その右側方に留め付ける外壁板６０ｂ１の横幅も他の外壁板と異なっている。しかし、横寸法の異なることは、外壁板の安定した取り付けに何の支障にもならないことは、容易に理解できる。
【００３５】
第１の外壁板６０ａの上に隣接して第３の外壁板６０ｃを留め付けには、最初に、第３の外壁板６０ｃを第１の外壁板６０ａの上に上から落とし込む。それにより、第３の外壁板６０ｃの下側辺に形成した係止溝６１は、固定した留め付け金具１０の第１係止部２１の第２係止片２４に係止して、仮止めされる。その第３の外壁板６０ｃに対して、前記した第１の外壁板６０ａあるいは第２の外壁板６０ｂの場合と同様にして、留め付け金具１０を取り付けかつ下地材６６に固定することにより、第３の外壁板６０ｃの留め付けは完了する。以下、同じことを右側に配置する外壁板６０ｃ１に対しても行う。
【００３６】
図示の例で、第３の外壁板６０ｃの横寸法は、第１の外壁板６０ａや第２の外壁板６０ｂと異なっている。しかし、この場合にも、横寸法の異なることが、外壁板６０ｃの安定した取り付けに何の支障も生じさせないことは、前記と同様である。
【００３７】
このようにして、留め付け一般部への外壁板６０の留め付けを終えることができる。横寸法の異なる複数種類の外壁板を、十分な安定性を確保した状態で、任意に組み合わせて外壁面に留め付けることが可能であり、バリエーションに富んだ外観意匠を発揮する外壁面を容易に構築することができる。もちろん、同じ横寸法の外壁板のみを留め付けて外壁面とすることもできる。また、上記の説明からわかるように、一般部での外壁板の建物側への留め付けには、外壁板６０の背面に形成した凹陥部６２を特に利用しない。従って、一般部に留め付ける外壁板には、凹陥部を有しないものを用いることもできる。
【００３８】
次ぎに、開口部Ｂの周辺に外壁板６０を留め付ける場合を説明する。開口部周辺では、開口部内に留め付け金具を飛び出させることができないので、従来から、異なった形態の留め付け金具を用いるなど、安定した留め付け態様を得るために、種々の工夫がなされている。本発明による外壁施工構造では、一般部で使用する留め付け金具１０をそのまま用いて、開口部周辺の外壁板同士を安定して建物側に留め付けることができる。
【００３９】
図５と図６は、図２でＶ−Ｖ線で示す領域、すなわち開口部Ｂの左側面側の領域を示す側面図と斜視図であり、この領域では、上下に位置する外壁板６０ｅ，６０ｅ１の横寸法と開口部Ｂの寸法との関係から、２枚の外壁板の右側部の一部は裁断除去されている。下方の外壁板６０ｅを前記のようにして仮置きした後、留め付け金具１０の第２係止部２５をその裏面凹陥部６２内に埋入した状態で、第１係止部２１の第１係止片２３を外壁板６０ｅの上側辺に形成した係止溝６１に係止させる。その姿勢で留め付け金具１０を下方に押し付けた状態とし、ビス６７を用いて留め付け金具１０を下地材６６に固定する。それにより、外壁板６０ｅの留め付けは終了する。
【００４０】
留め付けた外壁板６０ｅの上に、上位に隣接する外壁板６０ｅ１を置く。その際に、固定した留め付け金具１０の第１係止部２１の第２係止片２４を、外壁板６０ｅ１の下側縁に形成した係止溝６１に係合させる。その状態で外壁板６０ｅ１を左側方へ押し付けると、左側に既に留め付けてある外壁板の右側辺に衝接し、外壁板６０ｅ１の左側辺に形成した係止溝６１の上角部近傍は、既に固定してある留め付け金具１０の第２係止部２５の第２係止片２８に係止し、仮止め状態となる。以下、前記外壁板６０ｅに対すると同様にして外壁板６０ｅ１の留め付けを行う。
【００４１】
図７〜図９は、図２でＶＩＩＩ−ＶＩＩＩ線で示す領域、すなわち開口部Ｂの下側面側の領域での外壁板の留め付け構造を説明している。ここでは、左側の外壁板６０ｆとその右側に留め付ける外壁板６０ｆ１の一部は、開口部Ｂの寸法との関係で、長辺沿って部分的に裁断されている。施工に当たり、左側の外壁板６０ｆを上記したと同様にして左側および下側に留め付けられた外壁板と留め付け金具１０を利用して仮置きする。その際に、留め付け金具１０は、図７に示すように、図１に示した留め付け金具１０を時計方向に９０度回転させた姿勢で用いる。左側の外壁板６０ｆを仮置きする際に、図７に示す姿勢とした留め付け金具１０の第２係止部２５を、外壁板６０ｆの裏面凹陥部６２内に埋入した状態とし、その第１係止部２１の第１係止片２３を外壁板６０ｅの右側辺に形成した係止溝６１のほぼ中央部に係止させる。その姿勢で留め付け金具１０を左側方に押し付けた状態とし、ビス６７を用いて留め付け金具１０を下地材６６に固定する。それにより、左側の外壁板６０ｆの留め付けは終了する。
【００４２】
留め付けた外壁板６０ｆの右側に、右側に隣接する外壁板６０ｆ１を置く。その際に、既に留め付けてある下位の外壁板の留め付けに用いた留め付け金具１０の第１係止部２１の第２係止片２４を、外壁板６０ｆ１の下側辺に形成した係止溝６１に係止させる。そして、外壁板６０ｆ１を左側に押し付ける。それにより、外壁板６０ｆ１の左側辺は左側の外壁板６０ｆの右側辺に衝接し、外壁板６０ｆの留め付けに用いた留め付け金具１０の第１係止部２１の第２係止片２４が、外壁板６０ｆ１の左側辺に形成した係止溝６１に係止する。それにより、外壁板６０ｆ１は仮止めされた状態となる。以下、前記外壁板６０ｆに対すると同様にして外壁板６０ｆ１の留め付けを行う。
【００４３】
上記では、図２に示すように、建物の左側の出隅部Ａ１側を始点として、そこから右方向に多段に順次外壁板６０を留め付ける（右追い）場合を説明したが、同じ留め付け金具１０を用いて、左追いの場合も同様にして外壁施工をすることができる。図１０〜図１３を用いて、左追い施工の場合を説明する。
【００４４】
図１０は、左追いの場合の外壁施工構造の一般部を示しており、ここでは、建物の右側の出隅部Ａ２側を始点として、そこから左方向に多段に順次外壁板６０を留め付けている。この場合、図１に示す留め付け金具１０は、図１１に示すように反時計方向に９０度回転して使用される。
【００４５】
図１２は図１０のＸ−Ｘ線による断面図であり、図１３はその領域を斜視図で示している。この場合には、留め付けようとする外壁板６０ａの左上角部が、留め付け金具１０の第１係止部２１と第２係止部２５とで区画される領域内に入り込むようにして、留め付け金具１０を近接させる。そして、第１係止部２１の第１係止片２３を外壁板６０ａの左側辺に形成した係止溝６１に、また第２係止部２５の第１係止片２７を外壁板６０ａの上側辺に形成した係止溝６１に、それぞれ係止した状態とする。その姿勢で、留め付け金具１０を右下方に向けて押し付ける。それにより、既に留め付けられている外壁板６０ｄの上に仮置きされている第１の外壁板６０ａは建物側に位置決めされる。その状態で、留め付け金具１０をビス６７により下地材６６に固定すると、第１の外壁板６０ａは建物側にしっかりと留め付けられる。
【００４６】
留め付けた第１の外壁板１０ａの左側に、既に留め付けてある下側の外壁板６０ｄをベースとして第２の外壁板６０ｂを置き、右側に押し付ける。それにより、第２の外壁板６０ｂの右側辺に形成した係止溝６１内に、固定した留め付け金具１０の第１係止部２１の第２係止片２４が入り込んだ状態となる。その状態で、前記した第１の外壁板６０ａの場合と同様にして、第２の外壁板６０ｂの左上角部に留め付け金具１０を同じ姿勢で取り付け、留め付け金具１０を右下方に向けて押し付け、当該留め付け金具１０を下地材６６に固定する。それにより、第２の外壁板６０ｂの留め付けは終了する。以下、必要枚数の外壁板６０を左方向に留め付けていく。
【００４７】
第１の外壁板６０ａの上に隣接して第３の外壁板６０ｃを留め付けには、最初に、第３の外壁板６０ｃを第１の外壁板６０ａの上に上から落とし込む。それにより、第３の外壁板６０ｃの下側辺に形成した係止溝６１は、固定した留め付け金具１０の第２係止部２５の第２係止片２８に係止して、仮止めされる。その第３の外壁板６０ｃの左上角部に対して、前記した第１の外壁板６０ａあるいは第２の外壁板６０ｂの場合と同様にして、留め付け金具１０を取り付けかつ下地材６６に固定することにより、第３の外壁板６０ｃの留め付けは完了する。以下、同じことを右側に配置する外壁板６０ｃ１に対しても行う。
【００４８】
上記のように、左追いの場合でも、留め付け金具１０を反時計方向に９０度回転させた姿勢で用いるだけで、他の作業は右追いの場合と同様にして、下位壁施工構造を構築することができる。横寸法の異なる外壁板を混在して施工できることも同様である。さらに、図示しないが、開口部周辺における外壁板の留め付け構造も、実質的に同じ作業でもって行いうることも説明を要しない。
【図面の簡単な説明】
【００４９】
【図１】本発明による留め付け金具の一例を示す斜視図。
【図２】図１に示す留め付け金具を用いて外壁板を右追いで建物側に留め付けた外壁施工構造の一例を示す図。
【図３】図２のＩＩＩ−ＩＩＩ線による断面図。
【図４】図３の領域を斜視図として示している。
【図５】図２のＶ−Ｖ線に沿う側面図。
【図６】図５の領域を斜視図として示している。
【図７】図１に示す留め付け金具を時計方向に９０度回転させた状態で示している。
【図８】図２のＶＩＩＩ−ＶＩＩＩ線による断面図
【図９】図８の領域を斜視図として示している。
【図１０】図１に示す留め付け金具を用いて外壁板を左追いで建物側に留め付けた外壁施工構造の一例を示す図。
【図１１】図１に示す留め付け金具を反時計方向に９０度回転させた状態で示している。
【図１２】図１２は図１０のＸ−Ｘ線による断面図。
【図１３】図１２の領域を斜視図で示している。
【図１４】外壁板の一例を示す正面図（図１４ａ）と背面図（図１４ｂ）。
【図１５】図１４ａのｂ−ｂ線による断面図。
【図１６】従来の留め付け金具の一例を示す斜視図。
【図１７】従来の留め付け金具を用いて施工された外壁施工構造を説明する図。
【図１８】図１７に示す外壁施工構造における留め付け部を示す斜視図。
【図１９】図１８に示す留め付け部の側方断面図。
【符号の説明】
【００５０】
６０…外壁板、６１…係止溝、６２…凹陥部、１０…留め付け金具、１１…基板、１２…浮き上がり面、１３…ビス孔、２１…第１係止部、２５…第２係止部、２２、２６…受け板、２３、２７…第１係止片、２４、２８…第２係止片、Ａ１，Ａ２…始点としての出隅部、Ｂ…開口部
【図１】
2006249830.tif 000003
【図２】
2006249830.tif 000004
【図３】
2006249830.tif 000005
【図４】
2006249830.tif 000006
【図５】
2006249830.tif 000007
【図６】
2006249830.tif 000008
【図７】
2006249830.tif 000009
【図８】
2006249830.tif 000010
【図９】
2006249830.tif 000011
【図１０】
2006249830.tif 000012
【図１１】
2006249830.tif 000013
【図１２】
2006249830.tif 000014
【図１３】
2006249830.tif 000015
【図１４】
2006249830.tif 000016
【図１５】
2006249830.tif 000017
【図１６】
2006249830.tif 000018
【図１７】
2006249830.tif 000019
【図１８】
2006249830.tif 000020
【図１９】
2006249830.tif 000021